(57)【要約】  本発明は、ディスプレイモジュール（2）と入力モジュール（3）と情報モジュール（4、5、6）とを有する電子装置（1）に関し、特に携帯電話に関する。その装置（1）は複数の情報モードで動作可能であり、情報モードは時間の関数として起動可能である。その装置（1）は所定の期間又は時点の予約を格納することを可能にするカレンダー機能を有する。情報モードがユーザフレンドリーに設定可能であり、情報モードを修正するのが容易であり、不適切な情報モードによる周囲の妨害が回避される電子装置を提供するために、予約が入力モジュール（3）を用いて入力されたときに、情報モードが予約についての情報及び／又は予約中の情報に割り当てられるべきであることを提案する。
2007506176.tif 000002
【特許請求の範囲】
【請求項１】
ディスプレイモジュールと入力モジュールと情報モジュールとを有する電子装置であって、
前記装置は、複数の情報モードで動作可能であり、
情報モードは、時間の関数として起動可能であり、
前記装置は、所定の期間又は時点の予約を格納することを可能にするカレンダー機能を有し、
前記情報モードは、予約が前記入力モジュールを用いて予約されると、前記予約についての情報及び／又は前記予約中の情報に割り当て可能である電子装置。
【請求項２】
請求項１に記載の装置であって、
前記情報モードは、前記予約に割り当てられた予約カテゴリの関数として起動可能であることを特徴とする装置。
【請求項３】
請求項１又は２に記載の装置であって、
前記情報モードは、前記予約の時間に適していることを特徴とする装置。
【請求項４】
請求項１ないし３のうちいずれか１項に記載の装置であって、
前記予約についての情報を提供する前記情報モードは、前記予約中の情報を提供するものと異なることを特徴とする装置。
【請求項５】
請求項１ないし４のうちいずれか１項に記載の装置であって、
時間依存の情報モードの起動が終了した後に、予約カテゴリ依存の情報モードの起動が起動可能であることを特徴とする装置。
【請求項６】
請求項１ないし５のうちいずれか１項に記載の装置であって、
前記情報モジュールは、聴覚及び／又は視覚及び／又は触覚情報を放出することを特徴とする装置。
【請求項７】
請求項１ないし６のうちいずれか１項に記載の装置であって、
各予約に周期性が割り当て可能であることを特徴とする装置。
【請求項８】
請求項１ないし７のうちいずれか１項に記載の装置であって、
情報の形式の組み合わせが情報モードで規定可能であることを特徴とする装置。
【請求項９】
請求項１ないし８のうちいずれか１項に記載の携帯電話。
【請求項１０】
カレンダー機能を有する電子装置を制御する方法であって、
予約毎に予約カテゴリの集合から予約カテゴリが選択され、
情報モードが各予約カテゴリに割り当てられ、
前記電子装置が前記予約について割り当てられた情報モードに切り替えられる方法。
【発明の詳細な説明】
【技術分野】
【０００１】
本発明は、ディスプレイモジュールと入力モジュールと情報モジュールとを有する電子装置に関し、その装置は複数の情報モードで動作可能であり、情報モードは時間の関数として起動可能であり、その装置は所定の期間又は時点の予約を格納することを可能にするカレンダー機能を有する。本発明は、携帯電話と、カレンダー機能を有する電子装置を制御する方法とに更に関する。
【背景技術】
【０００２】
電子装置（特に、携帯電話、PDA、スマート電話又は他のオーガナイザ）は、とりわけ所定の開始及び終了時間を有する予約が管理可能なカレンダー及びオーガナイザ機能を有する。これらの装置はまた、メッセージ（例えばSMS又は入力電話呼び出し）を受信することを可能にするために、受信ユニットを有する。このような装置は、複数の情報モードで動作可能であり、周囲の状況に従って個々の情報モードを選択することが可能である。通常では、使用される情報モードは手動で選択される。
【０００３】
WO98/07265は、スケジュールを備えたプログラム可能携帯電話について記載しており、そのスケジュールに従って携帯電話が起動及び停止され得る。スケジュールは、携帯電話のユーザにより変更され得る。時刻との比較により、コントローラは、携帯電話が現在オンになるべきオフになるべきかを自動的に監視する。この特許は、スケジュールのプログラミングに従って、携帯電話の他の機能がコントローラを用いてオン又はオフにされ得ることを開示している。
【発明の開示】
【発明が解決しようとする課題】
【０００４】
前記のことに基づいて、本発明の目的は、情報モードがユーザフレンドリーに設定可能であり、情報モードを変更することが容易である電子装置を提供することである。
【課題を解決するための手段】
【０００５】
前記の目的は、予約が入力モジュールを用いて入力されると、予約毎に、情報モードが予約についての情報及び／又は予約中の情報に割り当てられ得るという点で実現される。
【０００６】
本発明は、カレンダーに入力された予約の前及び／又は予約中にメッセージが到達すると、状況に従って異なるように電子装置がユーザに通知するべきであるという概念に基づく。
【０００７】
従来技術からわかるように、装置がオンになっているときに装置が周囲又は予約に対応しないため、時間の関数として単に電子装置の機能をオン及びオフすることは不適切である。情報モードは、時間の関数として手動で設定されなければならず、そのことは面倒であり、しばしば忘れられることがある。例えば会話の中断により、ユーザが電話を取ることができる可能性がある場合又は入力メッセージを読むことができる可能性がある場合であっても、装置がオフになっているときには、発呼者は携帯電話に話すことしかできない。スケジュールを変更することによる複雑な方法で、日課の変更が適応されなければならない。
【０００８】
そのため、本発明は、ユーザがカレンダーに入力予約を入力した時点で、入力されている予約の種類に従って割り当てられ得る情報モードに電子装置が切り替えられるべきであることを提案する。何の種類の予約であるかについての情報は、予約が入力されるときに簡単に割り当てられることが可能であり、それにより、適切な情報モードが選択され得る。従って、開始及び／又は終了時間を備えた予約がカレンダーに入力される期間に、電子装置が予約中の周囲の要件に適切な情報モードに自動的に切り替えられることが可能になる。
【０００９】
本発明は、情報モードがこの予約に割り当てられるべきであり、情報モードも予約中の入力メッセージに対して割り当てられるべきであることを提案する。
【００１０】
この構成の利点は、電子装置のユーザが他人を妨害することなく予約中に連絡可能になるという点、又は騒々しい周囲の理由で入力メッセージに気づくことを可能にする情報モードを割り当てることができるという点がある。
【００１１】
他の有利な構成も従属項に見出され得る。
【００１２】
本発明の有利な構成では、予約が入力されると、情報モードは予約に割り当てられた予約カテゴリの関数として起動され得る。予約はその情報モードの要件に関して類似するため、予約を予約カテゴリにグループ化することが可能である。予約カテゴリはそれぞれ情報モードを割り当てられるため、予約カテゴリを選択することにより、割り当てられた情報モードが予約の時点で自動的に選択されて起動される。これは、情報モードの簡単な割り当てを促進する。
【００１３】
本発明の他の有利な構成では、予約の時間に適した情報モードが予約に割り当てられる。このことは、ユーザが、余分の入力作業を必要とせずに、例えば予約が計画されている時間に適した情報モードを選択することができるという利点を有する。
【００１４】
本発明の他の有利な構成では、予約の情報モードは、予約中の情報モードに対して異なってもよい。電子装置は予約のことをユーザに気付かせ、通常では、この時点でユーザは予約中と異なる状況にある。従って、予約中の情報又は入力メッセージの情報モードに束縛されず、予約の情報モードを自由に選択できることが有利である。予約について情報モードが選択されていない場合、時間依存の情報モードが自動的に選択されて起動されもてよい。
【００１５】
本発明の他の構成では、時間依存の情報モードの起動が終了した後に、予約カテゴリ依存の情報モードの起動が再起動され得る。特に時折のイベントが生じて、ユーザが特定の時間についてユーザにより決定されている情報モードに電子装置を設定した場合に常に、時間依存の情報モードの起動は必要になる。この利点は、この時間依存の情報モードの起動が終了した後に、電子装置が予約カテゴリ依存の起動にリセットされるため、情報モードがカレンダーに入力された予約の関数として選択されて起動され得るという点がある。また、予約がカレンダーに入力されていない時に、電子装置が時間依存の情報モードに切り替えられることも有利である。このことにより、例えば就業日の間の定期的に繰り返される状況に、情報形式を実質的に適合することが可能になる。例えば、ユーザが職場にドライブしている時に、騒々しい周囲に適した情報モードが選択されてもよい。他方、ユーザが職場で着席している時に、通常又は静寂の周囲に適した情報モードが起動されてもよい。更に、夜には全く雑音を生じない情報モードが選択されてもよい。このことは、基本的には他人が妨げられずに、夜間に仕事をしているときですら、情報を受けて、メッセージ又は電話呼び出しを取ることが可能になるという利点を有する。更に、電子装置はこの種類の情報ではあまりエネルギーを必要としないため、有利には次の充電までの時間が延長される。
【００１６】
有利には、情報モジュールは、聴覚及び／又は視覚及び／又は触覚の種類の情報を放出してもよい。３つの可能な情報の種類により、予約毎に又は予約カテゴリ毎に情報の種類の組み合わせが規定されることが可能になる。
【００１７】
本発明の他の構成では、予約カテゴリに加えて、周期性（例えば、毎日、毎週、毎月又は毎年）もまた、各予約に割り当てられ得る。これは、反復的な予約を入力する作業を低減する。
【００１８】
ユーザが異なる種類の情報を組み合わせることにより情報を自由に設定することができ、それにより、ユーザが個々の要件に従って情報モードを規定することができれば、有利である。
【００１９】
前記の目的はまた、請求項９に記載の携帯電話により実現される。
【００２０】
前記の目的はまた、カレンダー機能を有する電子装置を制御する方法により実現され、予約毎に予約カテゴリの集合から予約カテゴリが選択され、情報モードが各予約カテゴリに割り当てられ、電子装置は予約の時点で予約に割り当てられた情報モードに切り替えられる。
【００２１】
本発明の前記及び他の態様は、以下に説明する実施例を参照して明らかになり、それを参照して説明する。
【発明を実施するための最良の形態】
【００２２】
電子装置1は、例えば図１に示す携帯電話1でもよい。携帯電話1は概略的に図示されており、ディスプレイモジュール2と、入力モジュール3とを有する。情報モジュール4、5、6を用いて、ユーザは入力呼び出し又はメッセージと、カレンダーに入力されたイベントとについて通知を受ける。情報モジュール4、5、6は、例えばLEDの形式の視覚情報モジュール4と、呼び出し音又は曲を再生するスピーカの形式の聴覚情報モジュール6と、電話又は電子装置を振動させる触覚情報モジュール5とを有する。一般的に、触覚情報モジュール5はバイブレーションアラームと呼ばれる。ディスプレイモジュール2は、視覚モジュール4の単一のLEDと同時に又はその代わりに使用されてもよい。
【００２３】
図２は、対応する予約への情報モードの割り当てのフローチャートを表している。ステップ20において、カレンダー機能が呼び出される。ユーザは入力モジュール3を使用して、開始及び終了時間を備えた予約を入力する（ステップ21）。ユーザが開始及び終了時間を備えた予約を入力した後に、ステップ22において予約カテゴリが選択される。ステップ23において、事前設定の情報モードが選択された予約カテゴリに割り当てられているか否かについてクエリが行われる。事前設定の情報モードが設定されている場合には、予約は割り当てられた事前設定の情報モードで格納される（ステップ24）。事前設定の情報モードが選択された予約カテゴリに必要ない場合には、プログラムはステップ25で継続して、情報モードが情報モードの集合から選択され得る。ステップ26は、以前に規定された情報モードが対応の予約に割り当てられるべきか否かを質問する。規定された情報モードが対応の予約に割り当てられる場合、ステップ27において選択された情報モードでのこの予約が選択され、ステップ24において格納される。規定された情報モードがこの予約及び予約カテゴリに適していない場合には、ステップ28において情報モードが規定される。このことは、例えば３つの異なる情報の形式の起動を設定すること、又は様々な情報の形式の組み合わせを設定することを含む。ステップ28において情報モードが規定された後に、ステップ25において、規定された情報モードに予約が格納される。この後で、ステップ29において、他の予約が入力されるか否かについてクエリが行われる。そうである場合には、プログラムシーケンスが繰り返され、そうでない場合には、ステップ30においてプログラムが終了する。
【００２４】
図３は他のフローチャートを示している。このフローチャートは、どのように携帯電話1が制御機構により（例えばコントローラ（図示せず）を使用して）情報モードを変更するべきか否かを定めるかについて示している。動作プログラムはコントローラにより所定の間隔で開始する。開始32の後に、ステップ33において、情報モードについて事前設定の持続時間が経過したか否かについてクエリが行われる。現在設定されている情報モードについて事前設定の持続時間がまだ経過していない場合には、プログラムは終了し、予め設定可能な後の時間にコントローラにより再び呼び出される。設定された情報モードについて事前設定の持続時間が経過している場合には、その後のクエリ（ステップ34）において、現在の時刻がカレンダーに入力された予約と一致するか否かについて検査が行われる。現在の時刻が予約の開始時間と一致しない場合、携帯電話1は時間依存の情報モードに留まる（ステップ35）。現在の時刻が予約の開始時間と一致する場合、携帯電話1はこの予約に割り当てられた情報モードに設定される（ステップ36）。予約の終了時間に到達するまでプログラムはこのループに留まり（ステップ40）、他のイベントが生じた場合には、コントローラはプログラムを終了することができる。現在の時刻が予約の終了時間と一致するか否かについて検査が行われる（ステップ37）。現在の時刻が入力された予約の終了時間と一致する場合、ステップ38において、この予約に割り当てられた情報モードが停止し、携帯電話1は時間依存の情報モードにリセットされる。プログラムは終了し（ステップ39）、再度作動され得る。
【００２５】
時折のイベント（例えば映画館への訪問）が生じた場合、携帯電話1は、事前設定の持続時間の間だけ適切な情報モードに手動で切り替えられ得る。この事前設定の持続時間が経過した後に、携帯電話1は予約カテゴリ依存又は時間依存の情報モードに自動的にリセットされ、それにより、如何なる時点でも携帯電話は正確又は便利な情報モードを有し、携帯電話のユーザが依然として呼び出しを取ることができる場合、又は対応する予約について通知可能である場合であっても、不正確な情報モードのために、周囲の妨害が作られず又は入力呼び出しがメールボックス又は留守番電話に不利に迂回されない。
【００２６】
従来技術からわかるように、本発明によるどのような構成であれ、携帯電話を永久に情報モードに設定することが可能であるため、本発明によるこの機能は手動でオン又はオフされてもよい。
【００２７】
例えば、これは、夜に携帯電話1をオンにしたままにすることを可能にするが、視覚情報のみが提供されるため、約30パーセントだけエネルギー消費が減少するサイレント情報モードに切り替えられる。
【００２８】
本発明による構成は、適切な情報モードを選択するためにカレンダー機能が使用される携帯電話を提供する。カレンダーに入力された情報は、予約の種類に従って正確な情報モードが選択されるように評価される。基本的には情報モードの更なる調整は必要ないため、情報モードはユーザフレンドリーに設定可能であり、周囲への不注意の妨害が減少し得る。
【図面の簡単な説明】
【００２９】
【図１】本発明による携帯電話のブロック図
【図２】本発明に従って情報モードを割り当てるフローチャート
【図３】本発明に従って情報モードを自動的に設定するフローチャート
【符号の説明】
【００３０】
20  カレンダー機能を呼び出す
21  開始及び終了時間を備えた予約を入力する
22  予約カテゴリを選択する
23  事前設定の情報モード？
YES
24  割り当てられた情報モードでの予約の格納
NO
25  情報モードを選択する
26  規定された情報モード？
YES
27  情報モードを選択する
NO
28  情報モードの規定
29  他の予約の入力？
YES
NO
30  終了
32  開始
33  情報モードの事前設定の持続時間が経過したか？
YES
NO
34  現在の時刻＝予約の開始時刻？
NO
35  時間依存の情報モードに留まる
YES
36  割り当てられた情報モードに情報モジュールを設定する
37  現在の時刻＝予約の終了時刻？
YES
38  時間依存の情報モードに情報モジュールを設定する
39  終了
NO
40  割り当てられた情報モードに留まる
【図１】
2007506176.tif 000003
【図２】
2007506176.tif 000004
【図３】
2007506176.tif 000005
【国際調査報告】
2007506176.tif 000006
2007506176.tif 000007
2007506176.tif 000008